(57)【要約】【課題】通常モードの住宅情報盤にメッセージを録音させる毎に、所定の録音指示操作を不要とした集合住宅用管理通話システムを提供する。【解決手段】住宅情報盤は、他の住宅情報盤、警報監視盤、ロビーインターホンのいずれかからの呼出に自動応答して、受信したメッセージを自動録音する留守モードを有効又は無効に切替設定する手段と、呼出元からのメッセージを記録手段に記録させるメッセージ録音を実行する制御手段とを少なくとも備え、住宅情報盤又は警報監視盤は、留守モードが無効に設定されている住宅情報盤が、ロビーインターホン又は他の住宅情報盤からの呼出には自動応答せず、警報監視盤からの呼出に自動応答して、受信したメッセージを自動録音する設定を有効又は無効とする録音設定手段を少なくとも備えている。【選択図】図１
2006041903.tif 000002
【特許請求の範囲】
【請求項１】
管理人室などに設置された警報監視盤と、共同玄関などに設置されたロビーインターホンと、各住戸に設置された住宅情報盤とを組み合わせて構成した集合住宅管理通話システムにおいて、
上記住宅情報盤は、他の住宅情報盤、上記警報監視盤、上記ロビーインターホンのいずれかからの呼出に自動応答して、受信したメッセージを自動録音する留守モードを有効又は無効に切替設定する手段と、
呼出元からのメッセージを記録手段に記録させるメッセージ録音を実行する制御手段とを少なくとも備え、
上記住宅情報盤又は上記警報監視盤は、上記留守モードが無効に設定されている住宅情報盤が、上記ロビーインターホン又は他の住宅情報盤からの呼出には自動応答せず、上記警報監視盤からの呼出に自動応答して、受信したメッセージを自動録音する設定を有効又は無効とする録音設定手段を少なくとも備えている集合住宅用管理通話システム。
【請求項２】
請求項１において、
上記警報監視盤は、
上記録音設定手段と、
この録音設定手段で、上記自動録音する設定を有効なものとしている場合には、メッセージを送るべき、上記留守モードが無効に設定されている住宅情報盤を呼び出したあと、その住宅情報盤にメッセージ録音指令を自動的に付加したメッセージを送信し記録させるための制御手段を備えている集合住宅用管理通話システム。
【請求項３】
請求項１において、
上記住宅情報盤は、
上記録音設定手段と、
上記留守モードが無効に設定されている際に、上記録音設定手段で、上記自動録音する設定を有効なものとしているときには、上記警報監視盤から呼び出されると、自動的に応答した後に受信したメッセージを記録するための制御手段とを備えている集合住宅用管理通話システム。
【請求項４】
管理人室などに設置された警報監視盤と、共同玄関などに設置されたロビーインターホンと、各住戸に設置された住宅情報盤とを組み合わせて構成した集合住宅管理通話システムにおいて、
上記住宅情報盤は、
他の住宅情報盤、上記警報監視盤、上記ロビーインターホンのいずれかからの呼出に自動応答して、受信したメッセージを自動録音する留守モードを有効又は無効に切替設定する手段と、
所定の再生操作があったときに、上記警報監視盤に録音されたメッセージを受信して再生する制御手段とを備え、
上記警報監視盤は、
上記住宅情報盤に送信すべきメッセージを予め録音しておく録音手段と、
上記留守モードが無効に設定されている住宅情報盤が、上記ロビーインターホン又は他の住宅情報盤からの呼出には自動応答せず、上記警報監視盤からの呼出に自動応答して、受信したメッセージを自動録音する設定を有効又は無効とする録音設定手段と、
上記録音設定手段が、上記自動録音する設定を有効なものとしている場合には、メッセージを送るべき、上記留守モードが無効に設定されている住宅情報盤を呼び出した後、録音ありの通知信号をその住宅情報盤に送信してその旨表示させ、
その住宅情報盤において再生操作があったときには、その住宅情報盤に対して、録音しておいたメッセージを出力して再生させる制御手段とを備えている集合住宅用管理通話システム。
【発明の詳細な説明】
【技術分野】
【０００１】
本発明は、集合住宅用管理通話システムの改良に関する。
【背景技術】
【０００２】
近時、集合住宅などにおいては、特許文献１に示すような集合住宅用管理通話システムが使用されている。このものでは、少なくとも、管理人室に設置した警報監視盤、集合玄関などに設置されたロビーインターホン、各住戸に設置され、ドアホン子器を接続した住宅情報盤を組み合わせて構成される。
【０００３】
住宅情報盤は、住人の操作設定によって、通常モードと留守モードとを切り替えることができる。通常モードにおいては、少なくとも、ロビーインターホン、警報監視盤、ドアホン子器のいずれかから呼出を受けたときには所定時間呼出音を鳴動し、住人による応答操作があれば呼出元との通話路が形成されて通話状態となる。
【０００４】
一方、留守モードにおいては、少なくとも、ロビーインターホン、警報監視盤、ドアホン子器のいずれかから呼出を受けたときには、自動応答した後、所定の応答メッセージを送出して呼出元に鳴動させ、呼出元から送出されてくるメッセージの録音処理をする。
【特許文献１】特許２５８９０８１号
【発明の開示】
【発明が解決しようとする課題】
【０００５】
しかしながら、上記した従来のシステムでは、管理人などが警報監視盤から各住宅情報盤を呼び出してメッセージを録音させるのは、住宅情報盤が留守モードのときにはその住宅情報板が被呼出後、録音処理をするので容易にできるが、その住宅情報盤が通常モードのときには、その住宅情報盤を呼び出した後、警報監視盤で所定の録音指示操作をして、住宅情報板を録音モードにする必要があった。
【０００６】
そこで、本発明は、このような事情を考慮し、通常モードの住宅情報盤にメッセージを録音させる毎に、所定の録音指示操作を不要とした集合住宅用管理通話システムを提供することを目的とする。
【課題を解決するための手段】
【０００７】
上記目的を達成するため、本発明の請求項１では、第１の本発明を提案しており、住宅情報盤は、他の住宅情報盤、警報監視盤、ロビーインターホンのいずれかからの呼出に自動応答して、受信したメッセージを自動録音する留守モードを有効又は無効に切替設定する手段と、呼出元からのメッセージを記録手段に記録させるメッセージ録音を実行する制御手段とを少なくとも備え、住宅情報盤又は警報監視盤は、留守モードが無効に設定されている住宅情報盤が、ロビーインターホン又は他の住宅情報盤からの呼出には自動応答せず、警報監視盤からの呼出に自動応答して、受信したメッセージを自動録音する設定を有効又は無効とする録音設定手段を少なくとも備えている。
【０００８】
請求項２では、第１の本発明において、警報監視盤は、録音設定手段と、この録音設定手段で、自動録音する設定を有効なものとしている場合には、メッセージを送るべき、留守モードが無効に設定されている住宅情報盤を呼び出したあと、その住宅情報盤にメッセージ録音指令を自動的に付加したメッセージを送信し記録させるための制御手段を備えている。
【０００９】
請求項３では、第１の本発明において、住宅情報盤は、録音設定手段と、留守モードが無効に設定されている際に、録音設定手段で、自動録音する設定を有効なものとしているときには、警報監視盤から呼び出されると、自動的に応答した後に受信したメッセージを記録するための制御手段とを備えている。
【００１０】
請求項４では、第２の本発明を提案しており、住宅情報盤は、他の住宅情報盤、警報監視盤、ロビーインターホンのいずれかからの呼出に自動応答して、受信したメッセージを自動録音する留守モードを有効又は無効に切替設定する手段と、所定の再生操作があったときに、上記警報監視盤に録音されたメッセージを受信して再生する制御手段とを備え、警報監視盤は、住宅情報盤に送信すべきメッセージを予め録音しておく録音手段と、留守モードが無効に設定されている住宅情報盤が、ロビーインターホン又は他の住宅情報盤からの呼出には自動応答せず、警報監視盤からの呼出に自動応答して、受信したメッセージを自動録音する設定を有効又は無効とする録音設定手段と、録音設定手段が、自動録音する設定を有効なものとしている場合には、メッセージを送るべき、留守モードが無効に設定されている住宅情報盤を呼び出した後、録音ありの通知信号をその住宅情報盤に送信してその旨表示させ、その住宅情報盤において再生操作があったときには、その住宅情報盤に対して、録音しておいたメッセージを出力して再生させる制御手段とを備えている。
【発明の効果】
【００１１】
第１の本発明（請求項１）によれば、警報監視盤または住宅情報盤において、予め、留守モードの設定を無効なものとしておけば、留守モードが設定されていない住宅情報盤が呼び出されたときに、その住宅情報盤に警報監視盤から送出したメッセージを録音させることができるので、従来のように、通常モードを実行している住宅情報盤に録音をさせる毎に、警報監視盤で所定の指示操作を行う必要がなく、利便にできる。
【００１２】
そして、請求項２によれば、警報監視盤において、予め、自動録音のための設定を有効なものとして記憶させておけば、留守モードの設定がされていない住宅情報盤を呼び出したときに、その住宅情報盤に警報監視盤から送出したメッセージを録音させることができるので、従来のように、通常モードの住宅情報盤にメッセージ録音をさせる毎に、警報監視盤で所定の指示操作を行う必要がなく、利便にできる。
【００１３】
更に、請求項３によれば、住宅情報盤において、自動録音のための設定をしておけば、留守モードを実行していないときであっても、警報監視盤から呼出を受け自動応答した後、受信したメッセージの録音をするので、請求項１または２と同様の効果を奏することができる。
【００１４】
また、第２の本発明（請求項４）によれば、警報監視盤では、自動録音のための設定をしておけば、留守モードに設定されていない住宅情報盤を呼び出して応答がなかった場合でも、メッセージ有りをその情報盤に通知しておき、当該住宅情報盤にて再生操作があれば、メッセージを送出して再生させるので、先述と同様の効果を奏することができる他、住宅情報盤には録音メモリが不要となり、部品点数の削減ができる。
【発明を実施するための最良の形態】
【００１５】
以下、図とともに本発明の実施の形態について説明する。
【実施例１】
【００１６】
図１は、第１、２の本発明システムの概略構成の一例を示している。
【００１７】
このものは、各住戸には住宅情報盤１を設置し、共同玄関などにはロビーインターホン４を設置し、管理人室などには警報監視盤５を設置している。そして、集合住宅の適所には映像制御盤３を設置している。
【００１８】
住宅情報盤１の各々は、制御線、通話線、映像線を束ねた伝送ラインＬ１を通じて映像制御盤３、その住宅情報盤１の設置される住戸の玄関先のドアホン子器６に接続され、映像制御盤３は映像線で構成された伝送ラインＬ３を通じてロビーインターホン４に接続されるとともに、制御線、通話線を束ねた伝送ラインＬ２を通じて警報監視盤５に接続される。
【００１９】
また、ロビーインターホン４と警報監視盤５とは、先述した、制御線、通話線を束ねた伝送ラインＬ２を通じて相互に接続される。
【００２０】
住宅情報盤１と警報監視盤５の各々は、録音設定手段２０Ｂ，５２Ａを備える。これら録音設定手段２０Ｂ，５２Ａは、予め操作により、警報監視盤５から受信されたメッセジの録音をする録音設定が記憶される。これらの機能については後述する。
【００２１】
更に、住宅情報盤１にはモード設定手段２０Ａ、警報監視盤５には制御手段５０を備えるが、機能は後述する。
【００２２】
図２は、第１，２の本発明システムで用いられる住宅情報盤の内部構成の一例を示す図である。この住宅情報盤１は、制御手段を構成するマイコン１０、モニタテレビ１１、録画回路１２、制御線、通話線、映像線を束ねた伝送ラインＬ１を通じて各種信号を伝送するための伝送入出力回路１３、伝送ラインＬ１を通じて入力された映像信号を制御するために設けられ、モニタテレビ１１に映像信号を出力して表示させたり、録画回路１２に出力して録画させる機能をなす映像制御回路１４、伝送ラインＬ１を通じてドアホン子器６の制御をするドアホン制御回路１５、各呼出元との間での、マイクＭＩとスピーカＳＰを用いた通話を制御するための通話制御回路１６、ＩＣメモリや録音テープなどで構成されてメッセージ記録手段を構成し、呼出元から入力された音声メッセージを録音する録音回路１７、非常時に警報出力する警報音出力回路１８、警報監視盤５から音声警報を受信し、これをスピーカＳＰから出力させる音声警報入力回路１９、各種操作キーなどで構成され、後述する自動録音の設定をするための録音設定ボタン２０Ａと、留守モードの有効／無効を切り替える（通常モードと留守モードとを切り替える）モード切替ボタン２０Ｂとを有する操作部２０、ＬＥＤなどを有し、メッセージ有無表示手段を構成する表示部２１を備える。
【００２３】
この住宅情報盤１は、先述したように、通常モード、留守モードがモード切換スイッチ２０Ｂでの選択操作により選択できる。
【００２４】
また、録音設定ボタン２０Ａでは、この住宅情報盤１が通常モードのときに、他の住宅情報盤１やロビーインターホン４からの呼出に自動応答せずに、警報監視盤５からの呼出に自動応答し、受信したメッセージを自動録音することを設定でき、その設定は、マイコン１０に記憶される。つまり、録音設定ボタン２０Ａとマイコン１０とで、住宅情報盤１側の録音設定手段を構成する。
【００２５】
また、住宅情報盤１では、警報監視盤５からメッセージ有りの信号を受け取ればその旨表示しておき、所定の再生操作があったときには、再生指示信号を警報監視盤５に送出して、録音メッセージの送出を促し、送出されたメッセージを再生する。
【００２６】
図３は、第１、２の本発明で用いられる警報監視盤５の内部構成の一例を示す図である。この警報監視盤５は、制御手段を構成し、この警報監視盤５を制御するマイコン５０と、伝送ラインＬ１を通じて各種信号を伝送するための伝送入出力回路５１、後述するメッセージ録音指令などのための各種操作キーを有するキースキャン回路５２、表示回路５３、通話制御回路５４、ＩＣカードや録音テープなどで構成されてメッセージ記録手段を構成する録音回路５５、警報音出力回路５６、各住宅情報盤１に音声警報を出力する音声警報出力回路５７とを備える。
【００２７】
キースキャン回路５２には、各種操作キーなどを有し、留守モードの設定がされていない（通常モードを実行している）住宅情報盤１が、他の住宅情報盤１やロビーインターホン４からの呼出に自動応答せずに、警報監視盤５からの呼出に自動応答し、受信したメッセージを自動録音することを設定する録音設定ボタン５２Ａを備える。つまり、録音設定ボタン５２Ａとマイコン５０とで、警報監視盤５側の録音設定手段を構成する。
【００２８】
録音回路５５には、この警報監視盤５のマイクＭＩを通じて入力された音声が録音されており、後述する処理（図４，５参照）において、録音されたメッセージが住宅情報盤１に送出される。ここで、録音するメッセージは複数でもよい。その場合には、録音設定操作において、住宅情報盤１に送出すべきメッセージを選択できるようにしておけばよい。住宅情報盤１に送出すべきメッセージは、例えば、「管理人からの伝言」、「荷物が届いている旨のお知らせ」などがある。
【００２９】
また、録音回路５５のメッセージを操作により、住宅情報盤１のアドレスや部屋番号とともに、予め選択しておき、自動録音の設定がなされている場合に、留守モードが無効に設定されている住宅情報盤１を呼出、所定時間応答がなかった場合には、メッセージ有りの信号を住宅情報盤１に送出してその旨表示させておき、住宅情報盤１にて再生操作があれば、その住宅情報盤１にメッセージを送出して再生する。
【００３０】
次に、第１の本発明システムの基本動作について、図４のフローチャートとともに説明する。
【００３１】
住宅情報盤１では、モード切替スイッチ２０Ｂの操作により通常モードと留守モードの切替が可能である。留守モードのときには（１００）、呼出に対して、応答メッセージＡ（「ただいま留守にしております」といったメッセージ）を出力し、呼出元より音声受信があればこれを録音して通話終了処理をする（１０１〜１０３）。
【００３２】
一方、留守モードが無効のとき、すなわち、通常モードでは（１００）、警報監視盤５から呼出があれば、後述する処理を行う一方、ロビーインターホン４、他の住宅情報盤１、ドアホン子器６のいずれかから呼出があれば、呼出音出力をし、応答があれば通話処理をし、通話終了処理をなす（１０４〜１０７）。
【００３３】
通常モードの実行の際、呼出元が警報監視盤５であれば（１０４）、以下の処理をなす。警報監視盤５からの呼出後、録音指令を含むメッセージを受信すれば、呼出音を出力し、所定時間応答がなかった場合には、応答メッセージＢ（「メッセージを録音できます」といったメッセージ）を送出して警報監視盤５に返信する。ついで、警報監視盤５から受信したメッセージを録音し、通話終了処理をなす（１０９〜１１３）。録音したメッセージは所定の再生操作で再生できる。
【００３４】
一方、メッセージを受信しても、所定時間内に応答があった場合には、ステップ１１５の処理に移行する。
【００３５】
なお、警報監視盤５から録音指令を含むメッセージが送出されるのは、警報監視盤５の録音設定ボタン５８Ａが操作されて、予め自動録音の設定がマイコン５０に記憶されているときである。
【００３６】
また、住宅情報盤１における応答には、ハンズフリータイプであれば通話釦の操作、ハンドセットタイプであればハンドセットのオフフック操作をいう。そして、応答があれば、警報監視盤５との間で通話路が形成されて所定時間（例えば３分）通話状態とし、所定時間経過すれば、延長を促すチャイム音を鳴動させる。そして、何らかの釦操作がされたら延長モードを実行し、通話路を形成したままの状態とする一方、釦操作がなかったら、所定時間が経過した時点で通話路を閉路し、通話終了処理をする。
【００３７】
一方、警報監視盤５からの呼出後、録音指令を含むメッセージを受信しない場合、すなわち、警報監視盤５で自動録音の設定が記憶されていないときにその警報監視盤５から呼出を受けている場合には（１０８）、呼出音を出力し、応答があれば通話処理をし通話終了処理をなす（１１４〜１１６）。
【００３８】
また、本発明においては、警報監視盤５は、図５に示すような処理をするようにしている。つまり、録音設定ボタン５８Ａが操作されたときにはマイコン５０に自動録音の設定を記憶する（２００，２０１）。なお、録音回路５０には複数メッセージを記憶させていてもよく、録音設定操作においていずれかのメッセージを選択できるようにしてもよい。
【００３９】
また、住宅情報盤１を呼び出したときには（２０２，２０３）、マイコン５０に自動録音の設定が記憶されていれば、録音指令とともにメッセージをその住宅情報盤１に送出した後、通話終了処理をする（２０２〜２０７）。
【００４０】
一方、第１の本発明システムは、図６のフローチャートに示す処理もする。すなわち、留守モードのときには（３００）、呼出に対して、応答メッセージＡを出力し、呼出元より音声受信があればこれを録音した後、通話終了処理をする（３０１〜３０４）。
【００４１】
一方、留守モードが無効のとき、すなわち、通常モードの実行時には（３００）、警報監視盤５から呼出があれば、後述する処理を行う一方、ロビーインターホン４、他の住宅情報盤１、ドアホン子器６のいずれかから呼出があれば、呼出音出力をし、応答があれば通話処理をし、通話終了処理をなす（３０４〜３０７）。
【００４２】
通常モードの実行時、呼出元が警報監視盤５であれば（３０４）、以下の処理をなす。住宅情報盤１の録音設定ボタン２０Ａが予め操作され、マイコン１０に自動録音の設定を記憶していれば（３０８）、呼出音を出力し、所定時間応答がなかった場合には、応答メッセージＢを出力して警報監視盤５に返信する、そして、警報監視盤５から入力されたメッセージを録音処理し、通話終了処理をする（３０９〜３１３）。録音したメッセージは所定の再生操作で再生できる。一方、呼出に対して応答があった場合には（３１０）、ステップ３１５に移行する。
【００４３】
また、自動録音の設定がされていない場合（無効設定の場合）には（３０８）、呼出音を出力し、応答があれば通話処理をし通話終了処理をなす（３１４〜３１６）。
【００４４】
更に、第２の本発明システムは、図７のフローチャートに示す処理をする。すなわち、録音設定ボタン５８Ａが操作されたときにはマイコン５０に自動録音の設定を記憶する（４００，４０１）。なお、メッセージは複数記憶しておいてもよく、この場合は、呼び出すべき部屋番号（住宅情報盤１のアドレスでもよい）とメッセージとを対応付けて録音手段５６に記憶させておく。
【００４５】
また、通常モードを実行している住宅情報盤１を呼び出たときには（４０２，４０３）、その住宅情報盤１で応答があるまで所定時間待機し、応答があれば、通話後、通話終了処理をなす（４１０、４０９）。
【００４６】
一方、通常モードを実行している住宅情報盤１を呼び出した結果、所定時間応答がなかった場合には、マイコン５０に自動録音の設定が記憶されていれば、その住宅情報盤を呼び出した後、録音ありの通知信号をその住宅情報盤１に送信してその旨表示させておき、その住宅情報盤１において再生操作があったときには、その住宅情報盤１に対して、対応するメッセージを出力して再生させる（４０４〜４０８）。
【図面の簡単な説明】
【００４７】
【図１】第１，２の本発明システムの概略構成の一例を示す図
【図２】住宅情報盤の内部構成の一例を示す図
【図３】警報監視盤の内部構成の一例を示す図
【図４】住宅情報盤の動作の一例を説明するためのフローチャート
【図５】警報監視盤の動作の一例を説明するためのフローチャート
【図６】住宅情報盤の動作の他例を説明するためのフローチャート
【図７】警報監視盤の動作の他例を説明するためのフローチャート
【符号の説明】
【００４８】
１  住宅情報盤
４  ロビーインターホン
５  警報監視盤
１０、５０  制御手段
２０Ａ  モード設定手段
２０Ｂ，５２Ａ  録音設定手段
【図１】
2006041903.tif 000003
【図２】
2006041903.tif 000004
【図３】
2006041903.tif 000005
【図４】
2006041903.tif 000006
【図５】
2006041903.tif 000007
【図６】
2006041903.tif 000008
【図７】
2006041903.tif 000009